(57)【特許請求の範囲】
【請求項１】
中空円筒形かつ内側が蛇腹構造の雌ねじ部と、内側に螺旋状のねじ山を備え、前記蛇腹構造の谷部位に該谷部位内を移動可能に設置され、円形の一部が欠けているＣ形形状を成すリング部と、一端につば部を備える中空円筒形かつ該円筒形の外側に螺旋状の溝を備える雄ねじ部と、を備え、前記リング部が前記谷部位との摩擦によって該谷部位内の移動を規制されるとき、前記リング部の前記ねじ山が前記雄ねじ部の前記溝に沿って移動し、前記雌ねじ部の前記雄ねじ部上での締め付けが可能なジョイント装置と、
前記雄ねじ部の前記円筒形部位の直径と略同じ大きさの孔を有し、柔軟性を備える一のダクトと、
柔軟性を備える他のダクトと、を有し、
前記一のダクト上にある前記孔に、前記雄ねじ部の前記つば部が前記一のダクトの内側となるように、前記雄ねじ部の円筒形部位を通し、また、前記雌ねじ部及び前記リング部のＣ形形状部位の内側を通って、先端が前記雌ねじ部の外側を覆う位置まで前記他のダクトを通し、前記雄ねじ部の円筒形部位に前記雌ねじ部の前記中空円筒形部位を差し込んだ後、前記リング部が前記谷部位との摩擦によって該谷部位内の移動を規制される状態で、前記他のダクトを回転させることなく、前記雌ねじ部の中空円筒形部位を回転させ、前記雌ねじ部を前記雄ねじ部上で締め付けることによって、前記一のダクトと前記他のダクトとの接合を行うことを特徴とするダクト接合構造。
【請求項２】
前記一のダクトと前記他のダクトとが、園芸農業を行うための構築施設内に配設されるビニール製のダクトであることを特徴とする請求項１に記載のダクト接合構造。
【請求項３】
中空円筒形かつ内側が蛇腹構造の雌ねじ部と、内側に螺旋状のねじ山を備え、前記蛇腹構造の谷部位に該谷部位内を移動可能に設置され、円形の一部が欠けているＣ形形状を成すリング部と、一端につば部を備える中空円筒形かつ該円筒形の外側に螺旋状の溝を備える雄ねじ部と、を備え、前記リング部が前記谷部位との摩擦によって該谷部位内の移動を規制されるとき、前記リング部の前記ねじ山が前記雄ねじ部の前記溝に沿って移動し、前記雌ねじ部の前記雄ねじ部上での締め付けが可能なジョイント装置と、
前記雄ねじ部の前記円筒形部位の直径と略同じ大きさの孔を有し、柔軟性を備える一のダクトと、
柔軟性を備える他のダクトと、を有するダクト接合構造におけるダクト接合方法であって、
前記一のダクト上にある前記孔に、前記雄ねじ部の前記つば部が前記一のダクトの内側となるように、前記雄ねじ部の円筒形部位を通し、また、前記雌ねじ部及び前記リング部のＣ形形状部位の内側を通って、先端が前記雌ねじ部の外側を覆う位置まで前記他のダクトを通し、前記雄ねじ部の円筒形部位に前記雌ねじ部の前記中空円筒形部位を差し込んだ後、前記リング部が前記谷部位との摩擦によって該谷部位内の移動を規制される状態で、前記他のダクトを回転させることなく、前記雌ねじ部の中空円筒形部位を回転させ、前記雌ねじ部を前記雄ねじ部上で締め付けることによって、前記一のダクトと前記他のダクトとの接合を行うことを特徴とするダクト接合方法。
【請求項４】
前記一のダクトと前記他のダクトとが、園芸農業を行うための構築施設内に配設されるビニール製のダクトであることを特徴とする請求項３に記載のダクト接合方法。
【発明の詳細な説明】
【技術分野】
【０００１】
ビニールハウスのような園芸農業を行うための構築物施設内に配設する柔らかいダクトどうしを接合するダクト接合構造の技術に関する。
【背景技術】
【０００２】
ビニールハウスのような園芸農業を行うための施設内では、作物の光合成を促進させるために、二酸化炭素発生装置を用いて発生させた二酸化炭素を供給する場合がある。そのとき、各作物に適切な量の二酸化炭素を偏りなく供給し、作物を傷つけないようにするために、例えば、ビニールのように柔らかい材質の二酸化炭素供給用ダクトを施設内にきめ細やかに張り巡らせる。なお、上記した柔らかい材質のダクトは、園芸農業を行うための施設内において、暖房用のダクトとしても使用され、配設される場合がある。
【０００３】
ここで、上記ダクト表面には二酸化炭素放出用の小さな孔が設置されている。そして、作物へ安定的に二酸化炭素を供給するため、その孔が作物の無い方を向いたり、同じ方向ばかりを向いたり、又は、地面の方を向いて実質的に孔が塞がれた状態となったりしないように、上記ダクトを孔の位置を考慮して適切に敷設する必要がある。
また、二酸化炭素供給用ダクトは、二酸化炭素発生装置に近い親ダクトと分岐先の子ダクトとを接合していくことによって、施設内に適切に敷設される。
【先行技術文献】
【特許文献】
【０００４】
【特許文献１】特開２０２０−１３００６４号公報
【発明の概要】
【発明が解決しようとする課題】
【０００５】
しかしながら、従来、上記のようなダクトの接合は、接合用器具の性能の低さに基づき接合部分において気体の漏れが生じたり、ダクト表面の孔の向き・位置を考慮して作業を行う必要があるため、接合作業が煩雑であったりするという問題点があった。
【０００６】
そこで本発明では、上記問題点に鑑み、園芸農業を行うための構築物施設内に配設する柔らかいダクトどうしを簡単な作業によって精度高く接合するためのダクト接合構造を提供することを目的とする。
【課題を解決するための手段】
【０００７】
開示するダクト接合構造の一形態は、中空円筒形かつ内側が蛇腹構造の雌ねじ部と、内側に螺旋状のねじ山を備え、前記蛇腹構造の谷部位に該谷部位内を移動可能に設置され、円形の一部が欠けているＣ形形状を成すリング部と、一端につば部を備える中空円筒形かつ該円筒形の外側に螺旋状の溝を備える雄ねじ部と、を備え、前記リング部が前記谷部位との摩擦によって該谷部位内の移動を規制されるとき、前記リング部の前記ねじ山が前記雄ねじ部の前記溝に沿って移動し、前記雌ねじ部の前記雄ねじ部上での締め付けが可能なジョイント装置と、前記雄ねじ部の前記円筒形部位の直径と略同じ大きさの孔を有し、柔軟性を備える一のダクトと、柔軟性を備える他のダクトと、を有し、前記一のダクト上にある前記孔に、前記雄ねじ部の前記つば部が前記一のダクトの内側となるように、前記雄ねじ部の円筒形部位を通し、また、前記雌ねじ部及び前記リング部のＣ形形状部位の内側を通って、先端が前記雌ねじ部の外側を覆う位置まで前記他のダクトを通し、前記雄ねじ部の円筒形部位に前記雌ねじ部の前記中空円筒形部位を差し込んだ後、前記リング部が前記谷部位との摩擦によって該谷部位内の移動を規制される状態で、前記他のダクトを回転させることなく、前記雌ねじ部の中空円筒形部位を回転させ、前記雌ねじ部を前記雄ねじ部上で締め付けることによって、前記一のダクトと前記他のダクトとの接合を行うことを特徴とする。
【発明の効果】
【０００８】
開示するダクト接合構造は、園芸農業を行うための構築物施設内に配設するダクトどうしを簡単な作業によって精度高く接合する。
【図面の簡単な説明】
【０００９】
【図１】本実施の形態に係る雌ねじ部の斜視図である。
【図２】本実施の形態に係るリング部の斜視図である。
【図３】本実施の形態に係るリング部の斜視図である。
【図４】本実施の形態に係る雄ねじ部の斜視図である。
【図５】本実施の形態に係るリング部を雌ねじ部の谷部位に設置した図である。
【図６】本実施の形態に係る雄ねじ部をダクトに挿通させた状態を示す図である。
【図７】本実施の形態に係る雄ねじ部をダクトに挿通させた状態を示す図である。
【図８】本実施の形態に係る雌ねじ部にダクトを装着した状態を示す図である。
【図９】本実施の形態に係るダクト接合構造（雌ねじ部及び雄ねじ部によってダクトを接合した状態）を示す図である。
【発明を実施するための形態】
【００１０】
図面を参照しながら、本発明を実施するための形態について説明する。
（本実施の形態に係るダクト接合構造）
【００１１】
図１乃至５を用いて、本実施の形態に係るダクト接合構造１の構造について説明する。ダクト接合構造１は、ジョイント装置２、ダクト２０、２２で構成される。ジョイント装置２は、ビニールハウスのような園芸農業を行うための構築物施設（栽培室）２６内に設置されるダクト２０、２２を接合するための装置である。ダクト２０、２２は、例えば、ビニールの様な軟質プラスチック製（プラスチックフィルム製）の管であるが、その材質は特に限定されない。
【００１２】
また、ダクト２０、２２は、構築物施設２６内で栽培される作物の光合成を促進させるために、二酸化炭素発生装置を用いて発生させた二酸化炭素を供給するための設備であり、施設２６内にきめ細やかに張り巡らせられる。ここで、ダクト２０、２２は、表面に二酸化炭素放出用の小さな孔２４を備えている。なお、ダクト２０、２２は、構築物施設２６内に配設される暖房用ダクトであっても良く、その場合、ダクト２０、２２上の孔２４は、温風を放出するためのものとなる。以下では便宜上、ダクト２０、２２を二酸化炭素放出用のものとして説明する。
【００１３】
ダクト２０、２２は、作物へ安定的に二酸化炭素を供給するため、その孔２４の位置を考慮して適切に敷設する必要があるので、作業者は、ダクト２０、２２の接合作業によって、ダクト２０、２２の孔２４の位置を変更したくないし、孔２４の位置を気にしながら、ダクト２０、２２の接合作業を行いたくない。
【００１４】
そこで、ジョイント装置２は、ダクト２０、２２の接合作業において、孔２４の位置を変更せずに済み、また、孔２４の位置を気にしながらの作業を行う必要がないようにする。また、ジョイント装置２は、ダクト２０、２２の接合箇所における気密性も担保することができる。
図１乃至５で示すように、ジョイント装置２は、雌ねじ部４、リング部１０、雄ねじ部１４を有する。
図１で示すように、雌ねじ部４は、中空円筒形を成し、かつ、内側が蛇腹構造（山折りと谷折りの繰り返し構造）６を成す。
【００１５】
図２、３及び５で示すように、リング部１０は、内側に螺旋状のねじ山１２を備え、蛇腹構造６の谷部位８に該谷部位６内を移動可能に設置され、円形の一部が欠けているＣ形形状を成す。
【００１６】
図４で示すように、雄ねじ部１４は、中空円筒形を成し、また、一端に該中空円筒形からはみ出すように出っ張ったつば部１６を備え、かつ、該中空円筒形の外側面に螺旋状の溝１８を備える。
【００１７】
なお、雄ねじ部１４の中空円筒形部位は、雌ねじ部４の中空円筒形部位に挿通させることができる、つまり、雌ねじ部４の中空円筒形部位の直径は、雄ねじ部１４の中空円筒形部位の直径よりも少しだけ大きい。
【００１８】
ジョイント装置２では、リング部１０が谷部位８との摩擦によって谷部位８内の移動を規制されるとき、リング部１０のねじ山１２を雄ねじ部１４の溝１８に沿って移動させることによって、雌ねじ部４を雄ねじ部１４上で締め付けることが可能である。雌ねじ部４をその反対方向に回せば、雄ねじ部１４上で雌ねじ部４の締め付け解除を行うことが可能である。
【００１９】
図７及び８で示すように、ジョイント装置２は、ダクト２０、２２を接合するとき、一方のダクト２２を、雌ねじ部４及びリング部１０の内側を通し、さらに、ダクト２２の先端が雌ねじ部４の外側を覆う位置まで通した状態で、接合作業を行う。なお、ジョイント装置２では、ダクト２０、２２の接合作業時、雄ねじ部１４に挿通させた雌ねじ部４の締め付け動作を行う。
【００２０】
上記のような構造に基づいて、ダクト結合構造１（ジョイント装置２）は、園芸農業を行うための構築物施設２６内に配設するダクト２０、２２どうしを簡単な作業によって精度高く接合することができる。
（本実施の形態に係るダクト接合方法）
【００２１】
図６乃至９を用いて、ダクト接合構造１におけるダクト接合方法について説明する。なお、構築施設２６内に供給する二酸化炭素を発生させる二酸化炭素発生装置に近い方の親ダクトを一のダクト２０とし、親ダクトから分岐する子ダクトを他のダクト２２とする。
【００２２】
図６で示すように、作業者は、雄ねじ部１４の円筒形部位の直径と略同じ大きさの孔であって、一のダクト２０上の孔２４に、雄ねじ部１４のつば部１６が一のダクト２０の内側となるように、雄ねじ部１４の円筒形部位を通す。
【００２３】
図７及び８で示すように、作業者は、次に、雌ねじ部４及びリング部１０の内側を通って、先端が雌ねじ部の外側（の一部）を覆う位置まで他のダクト２２を通す。
【００２４】
図９で示すように、作業者は、その次に、雄ねじ部１４の円筒形部位に、内側が他のダクト２２で覆われた雌ねじ部４の中空円筒形部位を差し込む。この状態で、一のダクト２０の外側面（つば部１６の外側付近）と（雌ねじ部４の開口部付近の）他のダクト２２とが当接している。
【００２５】
そして、作業者は、リング部１０が谷部位８との摩擦によって谷部位８内の移動を規制される状態で、他のダクト２２を回転させることなく、雌ねじ部４の中空円筒形部位を握って回転させ、雌ねじ部４を雄ねじ部１４上で締め付ける（雌ねじ部４の締め付け動作を行う）ことによって、一のダクト２０と他のダクト２２との接合を行う。この状態で、当接していた一のダクト２０と他のダクト２２とは、つば部１６と雌ねじ部４の開口部とで挟着され、ダクト２０、２２の気密性が保たれる。
【００２６】
上記のように、ダクト２０、２２の接合作業において、子ダクトである他のダクト２２は回転させずに、雌ねじ部４のみを回転させるので、他のダクト２２の表面に設置される孔２４の向き・位置は、ダクト２０、２２の接合作業の前後において、不変である。
【００２７】
上記のようにして、ダクト接合構造１は、園芸農業を行うための構築物施設２６内に配設するダクト２０、２２どうしを簡単な作業によって精度高く接合することができる。
【００２８】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２９】
１    ダクト結合構造
２    ジョイント装置
４    雌ねじ部
６    蛇腹構造
８    蛇腹構造の谷部位
１０  リング部
１２  螺旋状のねじ山
１４  雄ねじ部
１６  つば部
１８  螺旋状の溝
２０  一のダクト
２２  他のダクト
２４  他のダクト上の孔
２６  園芸農業を行うための構築施設
【要約】
【課題】
園芸農業を行うための構築物施設内に配設するダクトどうしを簡単な作業によって精度高く接合する。
【解決手段】
中空円筒形かつ内側が蛇腹構造の雌ねじ部と、内側に螺旋状のねじ山を備え、蛇腹構造の谷部位に該谷部位内を移動可能に設置され、Ｃ形形状を成すリング部と、一端につば部を備える中空円筒形かつ該円筒形の外側に螺旋状の溝を備える雄ねじ部と、を備え、一のダクト上にある孔に、つば部が一のダクトの内側となるように雄ねじ部を通し、雌ねじ部の内側を通って、先端が雌ねじ部の外側を覆う位置まで他のダクトを通し、雄ねじ部の円筒形部位に雌ねじ部の中空円筒形部位を差し込んだ後、他のダクトを回転させることなく、雌ねじ部の中空円筒形部位を回転させる。
【選択図】図９【図１】
0006970853.tif 000002
【図２】
0006970853.tif 000003
【図３】
0006970853.tif 000004
【図４】
0006970853.tif 000005
【図５】
0006970853.tif 000006
【図６】
0006970853.tif 000007
【図７】
0006970853.tif 000008
【図８】
0006970853.tif 000009
【図９】
0006970853.tif 000010